(57)【要約】【課題】スイッチ、ルータを介して多数の装置を接続する場合においても、キューイングによる遅延変動を回避して、高精度な装置間時刻同期を実現する。【解決手段】マスタ装置／スレーブ装置装置を接続するイーサネット区間は、全２重にて構成する。マスタ装置は、システム全体の同期用の時刻・タイミングの発生源を内蔵する。マスタ装置内では、システムタイミングに同期して装置間同期用のレイヤ２ ＭＡＣ副層のフレームを生成する。マスタ装置は、システムタイミングの前に、ＭＡＣ副層の最大フレーム長送信時間＋ＩＦＧ時間を予約する。また、システムタイミングの後に、同期用フレーム送信時間＋ＩＦＧ時間を予約する。後半の予約時間に競合するトラフィックフレームについては、一時退避用のメモリに格納する。【選択図】図１
2008172587.tif 000002
【特許請求の範囲】
【請求項１】
システムタイミング生成部と、このシステムタイミング生成部が生成したシステムタイミングを受信して、同期フレームを生成する同期フレーム生成部と、前記システムタイミングを受信して、次のシステムタイミング前に第１の予約時刻と前記次のシステムタイミングの後に第２の予約時刻とを生成する予約時間生成部と、前記同期用フレーム生成部と前記予約時間生成部と接続された優先配信制御部と、前記優先配信制御部と接続されたメモリとから構成される通信装置であって、
前記優先配信制御部は、前記第１の予約時刻以降に受信を開始したフレームを前記メモリに格納し、前記同期フレームを前記同期フレーム生成部から受信したとき、そのまま送信し、前記第２の予約時刻以降に前記メモリから前記フレームを読み出して、送信することを特徴とする通信装置。
【請求項２】
請求項１に記載の通信装置であって、
前記第１の予約時刻は、前記次のシステムタイミングの立上りから最大フレーム時間とフレームギャップ時間の和だけ、前であることを特徴とする通信装置。
【請求項３】
請求項１に記載の通信装置であって、
前記第２の予約時刻は、前記次のシステムタイミングの立上りから同期フレーム時間とフレームギャップ時間の和だけ、後ろであることを特徴とする通信装置。
【請求項４】
受信したフレームからシステムタイミングを再生するシステムタイミング再生部と、受信したフレームから同期フレームを廃棄するフレームフィルタ機能部とからなることを特徴とする通信装置。
【請求項５】
システムタイミング生成部と、このシステムタイミング生成部が生成したシステムタイミングを受信して、同期フレームを生成する同期フレーム生成部と、前記システムタイミングを受信して、次のシステムタイミング前に第１の予約時刻と前記次のシステムタイミングの後に第２の予約時刻とを生成する予約時間生成部と、前記同期用フレーム生成部と前記予約時間生成部と接続された優先配信制御部と、前記優先配信制御部と接続されたメモリとから構成され、前記優先配信制御部は、前記第１の予約時刻以降に受信を開始したフレームを前記メモリに格納し、前記同期フレームを前記同期フレーム生成部から受信したとき、そのまま送信し、前記第２の予約時刻以降に前記メモリから前記フレームを読み出して、送信する第１の基地局と、
受信したフレームからシステムタイミングを再生するシステムタイミング再生部と、受信したフレームから同期フレームを廃棄するフレームフィルタ機能部とからなる第２の基地局とからなることを特徴とする基地局システム。
【発明の詳細な説明】
【技術分野】
【０００１】
本発明は通信装置および基地局システムに係り、装置間の時刻同期を行う通信装置および基地局システムに関するものである。
【背景技術】
【０００２】
イーサネット（登録商標）回線における時刻同期方式としては、ＮＴＰ（Network Time Protocol）、またはＳＮＴＰ（Simple Network Time Protocol）が広く普及している。ＮＴＰは世界中で広く使用されているインターネットを介した時刻同期システムで、全世界で１００台を超えるサーバが公開されている。しかしＮＴＰ、ＳＮＴＰはソフトウェアが介在するプロトコルであるため、プロセッサの性能により同期精度が左右される。また、サーバ／クライアント間でパケットの往復遅延を測定して区間遅延を補正する方式を取るため、スイッチ／ルータ等によりネットワークを構成する場合、ネットワーク内のトラフィック量によって伝送遅延が変動することが知られている。このことは、非特許文献１、非特許文献２に記載されている。
【０００３】
伝送遅延の変動要因は、主にスイッチ・ルータによるキューイング遅延、区間でのコリジョン発生による再送処理等であり、ネットワークの構成、通信帯域（トラフィック量）によるが、ＮＴＰでの時刻同期精度は数十μｓ以上であることが多い。またプロセッサをターミナルとするＮＴＰ、ＳＮＴＰでは、クロックに同期した通信フレームを再生することは困難である。特に高安定なシステムクロックに同期した通信フレーム信号を要求するＣＤＭＡ基地局では、基地局間時刻同期をＮＴＰ、ＳＮＴＰ等により実現することは困難である。具体的には、ＣＤＭＡ−Ｏｎｅ のAir Interface規格3GPP2 CS0032 3.1.2.2.1 Synchronization and Timing）規定によれば、基地局間の無線信号の同期精度は１０μｓ以下であることが要求されている。
以下、ＩＥＥＥ８０２.３をモデルとして説明する。
【０００４】
【非特許文献１】山田、「ＩＰネットワーク上の時刻同期手法」、信学技法ＴＥＣＨＮＩＣＡＬ ＲＥＰＯＲＴ ＯＦ ＩＥＩＣＥ  ＣＳ２００５−１６
【非特許文献２】雨海、外２名、「イーサネットを用いた同期型通信」、信学技法ＴＥＣＨＮＩＣＡＬ ＲＥＰＯＲＴ ＯＦ ＩＥＩＣＥ   ＣＡＳ２００４−８１、ＳＩＰ２００４−１２４、ＣＳ２００４−２１７
【発明の開示】
【発明が解決しようとする課題】
【０００５】
クロック同期したタイミング信号（通信フレーム等）を要求するシステムにて装置間をイーサネットで接続する場合、時刻同期方式として広く普及しているＮＴＰ、ＳＮＴＰでは、前述の問題点が挙げられる。
【０００６】
本発明が解決しようとする課題は、装置間通信インタフェースとして世界的に普及しているイーサネットを使用し、汎用的に使用されるＰＨＹデバイス、汎用論理デバイスを使用したハードウェア処理により、ＭＡＣ副層においてフレーム配信の優先制御を行うことにより、スイッチ、ルータを介して多数の装置を接続する場合においても、キューイングによる遅延変動を回避して、安価に高精度な装置間時刻同期を実現することである。
【課題を解決するための手段】
【０００７】
マスタ装置／スレーブ装置装置を接続するイーサネット区間は、全２重（Full Duplex）にて構成する。これはこの区間でのコリジョン発生・再送による伝送遅延の変動を避ける為である。コリジョンの発生・再送による伝送遅延の変動（システムタイミングの伝送ジッタ）がシステムとして許容できるものであれば本条件は不要である。
【０００８】
マスタ装置は、システム全体の同期用の時刻・タイミングの発生源を内蔵する。システム時刻・タイミング発生源としては、ＧＰＳ受信機や、基幹通信フレーム等の高精度のタイミング信号発信源が挙げられる。なお、時刻・タイミングの発生源を内蔵せず、外部から供給を受けても良い。
【０００９】
マスタ装置内では、システムタイミングに同期して装置間同期用のレイヤ２ ＭＡＣ副層のフレーム（以下、同期用フレームと呼ぶ）を生成する。ＭＡＣ副層のイーサネットフレームは、イーサネット物理層の符復号化処理を行うＰＨＹデバイスの論理ＩＦであるＭＩＩ（Media Independent Interface）でのフレーム形式であり、汎用性が高い。ＭＡＣ副層のフレームを、以下ＭＡＣフレームと呼称する。一方、装置間通信用のフレームをトラフィックフレームと呼ぶ。
【００１０】
マスタ装置からスレーブ装置へのインタフェースにおいて、同期用フレームをシステムタイミングに同期して正確に送信するため、システムタイミングの前に、ＭＡＣ副層の最大フレーム長送信時間＋ＩＦＧ（Inter Frame Gap）時間を予約する。また、システムタイミングの後に、同期用フレーム送信時間＋ＩＦＧ時間を予約する。
【００１１】
予約時間内に入力されるトラフィックフレームについては、同期用フレームの優先配信を行うために一時退避用のメモリに格納し、イーサネットの送信回線を予約しておくことにより、同期用フレームをシステムタイミングに同期して正確に配信する。本構成を取ることにより、トラフィックフレームとの競合による、同期用フレーム送信ジッタを排除することが可能である。予約時間経過後（同期用フレームの送信完了後）、メモリに退避していたトラフィックフレームを順次出力する。
【００１２】
スレーブ装置においては、受信したＭＡＣフレームから同期用フレームの受信判定を行い、同期用フレーム受信タイミングからシステムタイミングを再生する。トラフィックフレームについてはスレーブ装置内のネットワークへ送出する。再生されたシステムタイミングは、必要に応じて伝送遅延の補正、伝送誤り/欠落対策としてのＰＬＬ等を介してスレーブ装置内で使用する。
【００１３】
マスタ装置からスレーブ装置への同期用フレームの伝送遅延は、ハードウェア処理遅延と、区間ケーブル伝送遅延により決定されるため、ケーブル長・装置間構成から遅延を高精度に決定することが可能である。また、ＮＴＰと同様にマスタ装置・スレーブ装置間の送受信往復遅延を測定し、平均化により決定してもよい。
【００１４】
上述した課題は、システムタイミング生成部と、このシステムタイミング生成部が生成したシステムタイミングを受信して、同期フレームを生成する同期フレーム生成部と、前記システムタイミングを受信して、次のシステムタイミング前に第１の予約時刻と前記次のシステムタイミングの後に第２の予約時刻とを生成する予約時間生成部と、前記同期用フレーム生成部と前記予約時間生成部と接続された優先配信制御部と、前記優先配信制御部と接続されたメモリとから構成され、前記優先配信制御部は、前記第１の予約時刻以降に受信を開始したフレームを前記メモリに格納し、前記同期フレームを前記同期フレーム生成部から受信したとき、そのまま送信し、前記第２の予約時刻以降に前記メモリから前記フレームを読み出して、送信する通信装置により、達成できる。
【００１５】
また、受信したフレームからシステムタイミングを再生するシステムタイミング再生部と、受信したフレームから同期フレームを廃棄するフレームフィルタ機能部とからなる通信装置により、達成できる。
【００１６】
さらに、システムタイミング生成部と、このシステムタイミング生成部が生成したシステムタイミングを受信して、同期フレームを生成する同期フレーム生成部と、前記システムタイミングを受信して、次のシステムタイミング前に第１の予約時刻と前記次のシステムタイミングの後に第２の予約時刻とを生成する予約時間生成部と、前記同期用フレーム生成部と前記予約時間生成部と接続された優先配信制御部と、前記優先配信制御部と接続されたメモリとから構成され、前記優先配信制御部は、前記第１の予約時刻以降に受信を開始したフレームを前記メモリに格納し、前記同期フレームを前記同期フレーム生成部から受信したとき、そのまま送信し、前記第２の予約時刻以降に前記メモリから前記フレームを読み出して、送信する第１の基地局と、受信したフレームからシステムタイミングを再生するシステムタイミング再生部と、受信したフレームから同期フレームを廃棄するフレームフィルタ機能部とからなる第２の基地局とからなる基地局システムにより、達成できる。
【発明の効果】
【００１７】
本発明によれば、高精度な装置間システムタイミング同期を実現することができる。
【発明を実施するための最良の形態】
【００１８】
以下本発明の実施の形態について、実施例を用い図面を参照しながら説明する。なお、実質同一部位については同じ参照番号を振り、説明は繰り返さない。
まず、図１を参照して、マスタ装置を説明する。ここで、図１はマスタ装置の機能ブロック図である。図１において、マスタ装置１００は、ネットワーク機能部１１０と、システムタイミング発生機能部１２０と、ＰＨＹデバイス１３０と、同期用フレーム生成部１４０と、予約時間生成部１５０と、メモリ１６０と、優先配信制御部１７０と、ＰＨＹデバイス１８０と、ポート１９０により構成される。
【００１９】
ネットワーク機能部１１０は、後述するスレーブ装置２００とトラフィックフレームを交換することにより通信を行う。システムタイミング発生機能部１２０は、システムタイミング（及びシステム時刻と）を生成する。ＰＨＹデバイス１３０は、ネットワーク機能部から出力される物理層のイーサネットフレームを復号化してＭＡＣフレームを出力する。同期用フレーム生成部１４０は、システムタイミングに同期してＭＡＣ副層の同期用フレームを生成する。予約時間生成部１５０は、システムタイミングに同期して優先配信用予約時間を生成する。メモリ１６０は、予約時間帯にネットワーク機能部から出力されるトラフィックフレームを一時退避させる。優先配信制御部１７０は、予約時間帯にネットワーク機能部から出力されるトラフィックフレームをメモリへ一時退避させることにより送信回線を確保し、同期用フレームをシステムタイミングに同期して正確に送出し、予約時間終了後に退避させていたトラフィックフレームを順次メモリから読出して送出する制御を行う。ＰＨＹデバイス１８０は、優先配信制御部１７０から重畳されて出力される同期用フレームとトラフィックフレームとを符号化してＭＡＣフレームから物理層のイーサネットフレームへ変換し、スレーブ装置２００とのインタフェースへ出力する。
【００２０】
図２を参照して、同期用フレーム生成部１４０にて生成する同期用フレームを説明する。ここで、図２は同期用フレームフォーマットである。図２において、同期用フレーム１０は、７バイトのPreamble（ＰＡ）、１バイトのStart of Flame Delimiter（ＳＦＤ）、６バイトのDestination Address（ＤＡ）、６バイトのSource Address（ＳＡ）、２バイトのLength（Ｌ）、不定長のTransmit Data（ＴＤ）、４バイトのFrame Check Sequence（ＦＣＳ）から構成される。
【００２１】
同期用フレーム１０のフォーマットは、ＩＥＥＥ８０２.３記載のＭＡＣ副層フレームに準拠し、送信元ＭＡＣアドレス（ＳＡ）は、同期用フレーム送信用に予約された唯一のアドレスとする。この予約済アドレスを以降同期用アドレスと呼称する。データ長（Ｌ）、データ内容（ＴＤ）は、適用システムの要求により決定されるものであるが、システムタイミング発生機能部１２０から出力される時刻データ等（ＵＴＣ時刻等）でもよい。送信データ内容を時刻データとすることで、タイミング信号と時刻情報を同時に転送することが可能である。
【００２２】
図３を参照して、マスタ装置の処理を説明する。ここで、図３はマスタ装置の制御タイムチャートである。図３（ａ）は、システムタイミング生成部の出力であるシステムタイミングである。図３（ｂ）は、同期用フレーム生成部の出力である。図３（ｃ）は、予約時間生成部１５０で生成する予約時間である。図３（ｄ）は、ネットワーク機能部１１０から出力されるトラフィックフレームである。図３（ｅ）は、メモリへの格納フレームである。図３（ｆ）は、優先配信制御から出力されるスレーブ装置へ送信されるＭＡＣフレームのタイムチャートのである。
【００２３】
同期用フレーム生成部１４０は、システムタイミングを入力として、同期用フレームを生成する。予約時間生成部１５０は、システムタイミングを入力として、予約時間を生成する。具体的には、予約時間生成部１５０は、ＭＡＣ副層の最大フレームサイズの送信時間＋Inter Frame Gap（ＩＦＧ）の時間分を、システムタイミング前の前部予約時間とする。１００ＢＡＳＥ−Ｔ、ＩＥＥＥ８０２.３ イーサネットを例にとる場合、最大フレームサイズはプリアンブルからＦＣＳまでを含め１５２６Ｂｙｔｅ、ＩＦＧ（最低保証）は１２Ｂｙｔｅであり、時間換算では１２３.０４μｓとなる。予約時間生成部１５０は、同期用フレームの送信時間＋ＩＦＧの時間分を、システムタイミング後の後部予約時間とする。１００ＢＡＳＥ−Ｔ、ＩＥＥＥ８０２.３の場合、同期用フレームサイズがプリアンブルからＦＣＳまでを含め７２Ｂｙｔｅである場合、ＩＦＧ（最低保証）１２Ｂｙｔｅを含めて、時間換算で６.７２ｕｓとなる。以上、本実施例の場合、システムタイミング前後に１２３.０４＋６.７２＝１２９.７６μｓの予約時間を設ける。
【００２４】
図３（ｄ）において、フレーム（１）（２）は予約時間に競合するフレームである。同期用フレームの送信を優先するため、図３（ｅ）に示すように、フレーム（１）（２）はメモリに一時退避しておき、スレーブ装置２００への送信回線を同期用フレームの送信に使用する。予約時間終了後、送信回線はトラフィックフレームの送信のために解放される。優先配信制御部１７０は、メモリ１６０に一時退避していたトラフィックフレーム（１）（２）を読出し、回線に送信する。また、フレーム（３）（４）のようにメモリに未送信のトラフィックフレームが残っている状態で後続のトラフィックフレームが入力された場合、順序性を確保するため、後続のトラフィックフレームもメモリに退避する。このため、メモリはＦＩＦＯ（First In First Out）メモリとすることが望ましい。
【００２５】
図３（ｆ）において、予約時間を設けることにより、システムタイミングと正確に同期して同期用フレームを送信し、時間競合するトラフィックフレームは予約時間終了後に順次送信される。フレーム（５）のように、予約時間と競合しないトラフィックフレームはメモリ退避することなく（遅延なく）出力してよい。また、フレーム（６）のように予約時間直前に入力されるトラフィックフレームについても、メモリ退避することなく（遅延なく）出力する。この場合、前部予約時間は最大サイズフレームの送信とＩＦＧ最低保証時間とを加算しているため、同期用フレーム送信時には直前のトラフィックフレームの送信は完了してＩＦＧも保証されるため、送信競合によるジッタは発生しない。
【００２６】
図４を参照して、スレーブ装置を説明する。ここで、図４はスレーブ装置のブロック図である。図４において、スレーブ装置２００は、ＰＨＹデバイス２１０と、システムタイミング再生部２２０と、フレームフィルタ機能部２３０と、ＰＨＹデバイス２４０と、ネットワーク機能部２５０と、ＰＬＬ２６０と、ポート２７０とから構成される。
【００２７】
ＰＨＹデバイス２１０は、マスタ装置１００とのインタフェースから物理層のイーサネットフレームを受信して復号化処理を行い、ＭＡＣフレームを出力する。システムタイミング再生部２２０は、ＰＨＹデバイス２１０からＭＡＣフレームを受信し、同期用アドレスと一致判定することにより同期用フレームの受信判定を行い、受信タイミングからシステムタイミングを再生する。フレームフィルタ機能部２３０は、同期用アドレスと一致判定を行い、一致するフレームを同期用フレームとして廃棄する一方、一致しないフレームをトラフィックフレームとして出力する。ＰＨＹデバイス２４０は、フレームフィルタ機能部２３０にて抽出されたトラフィックフレームを受信し、符号化により物理層のイーサネットフレームに変換する。ネットワーク機能部２５０は、マスタ装置１００とトラフィックフレームの交換を行うことにより通信を行う。ＰＬＬ２６０は、再生したシステムタイミングを保護する。
【００２８】
図５および図６を参照して、スレーブ装置の動作を説明する。ここで、図５はシステムタイミング再生部のタイムチャートである。図６はフレームフィルタ機能部のタイムチャートである。
【００２９】
図５において、図５（ａ）は受信ＭＡＣフレーム、図５（ｂ）は再生されたシステムタイミングである。また、下段は拡大図である。システムタイミング再生部２２０は、受信したＭＡＣフレームの送信元ＭＡＣアドレスを同期用アドレスと一致判定することにより同期用フレーム受信判定を行う。送信元ＭＡＣアドレスが同期用アドレスと一致する場合、システムタイミング再生部２２０は、そのＭＡＣフレームの受信タイミングをシステムタイミングとして再生する。システムタイミング再生部２２０は、同期用アドレスの一致判定に加えて、全フレーム受信完了時にＦＣＳによる誤り検出を行い、同期用フレームでかつ誤りなしの場合にシステムタイミングを再生してもよい。環境雑音等により同期用フレームに誤りが発生した場合、システムタイミングが欠落することとなるが、欠落の影響が無視できない場合、再生されたシステムタイミングをＰＬＬ２６０により保護することにより、深刻な問題が発生することは回避できる。
【００３０】
図６において、図６（ａ）は受信ＭＡＣフレーム、図６（ｂ）は抽出されたトラヒックフレームである。また、下段は拡大図である。同期用フレームはシステムタイミングを再生するためにマスタ装置１００からスレーブ装置２００へ送信されるフレームであり、マスタ装置１００とスレーブ装置２００のネットワーク機能部間の通信には不要なフレームなので、フレームフィルタ機能部２３０は、同期用フレームの廃棄処理を行う。フレームフィルタ機能部２３０は、トラフィックフレームのみをネットワーク機能部２５０へ向けて送出する。本実施例ではフレームフィルタ機能部をカットスルー方式により実現する場合について説明する。受信ＭＡＣフレームをメモリに格納しながら、送信元ＭＡＣアドレスまでを受信した時点で、同期用アドレスと一致照合を行い、一致する場合は廃棄し、一致しない場合はメモリから読み出しトラフィックフレームとして出力する。
【００３１】
図７を参照して、マスタ装置とスレーブ装置をルーティングデバイスにより接続する構成を取る場合の、ルーティングデバイスを説明する。ここで、図７はルーティングデバイスのブロック図である。なお、ルーティングデバイスには、スイッチ、ルータ等を含む。
【００３２】
図７において、ルーティングデバイス３００は、同期用フレームを受信する上流ポート３８０−１と、同期用フレームを転送する下流ポート３８０−２を決定し、マスタ装置１００をネットワーク上流ポート３８０−１に、スレーブ装置２００を下流ポート３８０−２に接続する。ルーティングデバイス３００は、ルーティング機能部３１０と、ＰＨＹデバイス３２０と、フレームフィルタ機能部３３０と、ＰＨＹデバイス３２２と、同期用フレーム抽出部３４０と、メモリ３５０と、予約時間生成部３６０と、ＰＨＹデバイス３２４と、メモリ３５５と、転送制御部３７０と、ＰＨＹデバイス３２６と、ポート３８０、３８５により構成される。
【００３３】
ルーティング機能部３１０は、トラフィックフレームをルーティングする機能を有する。ＰＨＹデバイス３２０は、上流ポート３８０−１から物理層のイーサネットフレームを受信して復号化処理を行い、ＭＡＣフレームを出力する。フレームフィルタ機能部３３０は、ＰＨＹデバイス３２０からＭＡＣフレームを受信し、同期用アドレスと一致判定を行い、一致するフレームを同期用フレームとして廃棄する一方、一致しないフレームをトラフィックフレームとしてルーティング機能部３１０へ送出するために出力する。ＰＨＹデバイス３２２は、フレームフィルタ機能部３３０から出力されるＭＡＣフレームに符号化処理を行い、物理層のイーサネットフレームに変換してルーティング機能部３１０へ出力する。同期用フレーム抽出部３４０は、ＰＨＹデバイス３２０からＭＡＣフレームを受信し、同期用アドレスと一致判定することにより同期用フレームの受信判定を行い、受信タイミングからシステムタイミングを再生する一方、下流ポート３８０−２へ転送するため同期用フレームをメモリに格納する。メモリ３５０は、同期用フレーム抽出部３４０にて受信判定された同期用フレームを一時格納する。
【００３４】
予約時間生成部３６０は、同期用フレーム抽出部３４０にて再生されたシステムタイミングの前にＭＡＣ副層の最大サイズフレーム送信時間＋ＩＦＧ時間を、システムタイミングの後に同期フレーム送信時間＋ＩＦＧ時間を、下流ポート３８０−２への同期用フレーム転送用に予約するために予約時間を生成する。ＰＨＹデバイス３２４は、ルーティング機能部から出力される下流ポート３８０−２への送信イーサネットフレームを、復号化処理によりＭＡＣフレームに変換して出力する。メモリ３５５は、予約時間帯に出力されるトラフィックフレームを一時退避する。転送制御部３７０は、予約時間帯に出力されるトラフィックフレームをメモリ３５５へ一時退避させることにより下流ポート３８０−２への送信回線を確保し、同期用フレームをメモリ３５０から読み出しシステムタイミングに同期して正確に送出し、予約時間終了後にメモリ３５５に退避させていたトラフィックフレームを順次読出して送出する制御を行う。ＰＨＹデバイス３２６は、転送制御部３７０から出力される同期用フレームとトラフィックフレームを符号化してＭＡＣフレームから物理層のイーサネットフレームへ変換し、下流ポート３８０−２へ出力する。
【００３５】
図８を参照して、基地局システムを説明する。ここで、図８は基地局システムのブロック図である。マスタ装置である基地局４００には、スイッチ３００とスレーブ装置である基地局４５０−１とが接続されている。マスタ装置である基地局４００には、スイッチ３００を介して、スレーブ装置である基地局４５０−２と基地局４５０−３とが接続されている。各基地局４００、４５０と、スイッチ３００との接続は全２重イーサネットにより接続されている。また、各基地局４００、４５０は、移動局用アンテナ４３０を介して、移動局（携帯電話）５００と無線接続されている。無線基地局４００は、さらにＧＰＳ受信器４１０と、ＧＰＳ衛星受信用アンテナ４２０を備え、ＧＰＳ衛星から正確な時刻情報を取得する。
【００３６】
無線基地局４００は、取得したシステム時刻と、システムタイミングを、基地局４５０−１とスイッチ３００に通知する。スイッチ３００は、受信したシステム時刻とシステムタイミングを、基地局４５０−２と基地局４５０−３に転送する。
【００３７】
基地局４５０−１と基地局４５０−２、３とは、スイッチ３００を介さない/介すの差があり、受信したシステムタイミングにずれが生じる。しかし、基地局４００と、各基地局４５０との間のシステムタイミングのずれは、それぞれ固定化できる。また、各基地局４５０が受信したシステムタイミングを、基地局４００に上述した実施例を用いて、折り返せば、マスタ装置である基地局４００は、それぞれの基地局４５０との間のずれを把握し、補正することも可能である。なお、全２重とするのは、各区間でのコリジョン発生・再送による伝送遅延の変動を避ける為である。コリジョンの発生・再送による伝送遅延の変動（システムタイミングの伝送ジッタ）がシステムとして許容できるものであれば本条件は不要である。
【００３８】
上述した構成により、マスタ基地局４００とスレーブ基地局４５０間をイーサネットにより接続し、装置間通信に同期用フレームを時分割に重畳することで高精度なシステム同期を実現できる。
装置間通信方式として広く普及しているイーサネットを用いて、装置間同期用フレームを時分割で優先的に挿入して共有することにより、装置間インタフェースを最小限に抑えることが可能であり、原価、施工の両面で有利である。また、ＮＴＰと比較し、高精度な時刻同期が可能である。さらに、ＮＴＰでは困難な、クロック同期したシステムタイミング信号を再生可能である。
【図面の簡単な説明】
【００３９】
【図１】マスタ装置の機能ブロック図である。
【図２】同期用フレームフォーマットである。
【図３】マスタ装置の制御タイムチャートである。
【図４】スレーブ装置のブロック図である。
【図５】システムタイミング再生部のタイムチャートである。
【図６】フレームフィルタ機能部のタイムチャートである。
【図７】ルーティングデバイスのブロック図である。
【図８】基地局システムのブロック図である。
【符号の説明】
【００４０】
１０…フレーム、１００…マスタ装置、１１０…ネットワーク機能部、１２０…システムタイミング生成部、１３０…ＰＨＹデバイス、１４０…同期用フレーム生成部、１５０…予約時間生成部、１６０…メモリ、１７０…優先配信制御部、１８０…ＰＨＹデバイス、１９０…ポート、２００…スレーブ装置、２１０…ＰＨＹデバイス、２２０…システムタイミング再生部、２３０…フレームフィルタ機能部、２４０…ＰＨＹデバイス、２５０…ネットワーク機能部、２６０…ＰＬＬ、２７０…ポート、３００…ルーティングデバイス、３１０…ルーティング機能部、３２０…ＰＨＹデバイス、３２２…ＰＨＹデバイス、３２４…ＰＨＹデバイス、３２６…ＰＨＹデバイス、３３０…フレームフィルタ機能部、３４０…同期用フレーム抽出部、３５０…メモリ、３５５…メモリ、３６０…予約時間部、３７０…転送制御部、３８０…ポート、３８５…ポート、４００…無線基地局（マスタ局）、４１０…ＧＰＳ受信器、４２０…ＧＰＳ衛星受信用アンテナ、４３０…移動局用アンテナ、４５０…無線基地局（スレーブ局）、５００…移動局（携帯電話）、１０００…基地局システム。
【図１】
2008172587.tif 000003
【図２】
2008172587.tif 000004
【図３】
2008172587.tif 000005
【図４】
2008172587.tif 000006
【図５】
2008172587.tif 000007
【図６】
2008172587.tif 000008
【図７】
2008172587.tif 000009
【図８】
2008172587.tif 000010